(57)【要約】【課題】ブザー音やランプの点灯等で検査結果が報知されるダイオード検査の際に、所望の検出精度で検査することのできるダイオード検査装置を提供する。【解決手段】ダイオード検査装置の一例である携帯型デジタルマルチメータ１は、ダイオードの両端電圧を検査するための閾値が変更可能に設定される閾値記憶部と、閾値記憶部に閾値を設定する操作をするための閾値設定用の操作スイッチ６ａ，６ｂと、検査対象となるダイオードに検査用電流を流してダイオードの両端電圧を測定するダイオード電圧測定部と、ダイオードの両端電圧と閾値とを比較して両端電圧が閾値により規定される範囲内のときにブザー１５を鳴動させる比較部とを備えるものである。【選択図】図１
2013242250.tif 000002
【特許請求の範囲】
【請求項１】
ダイオードの両端電圧を検査するための閾値が変更可能に設定される閾値記憶部と、
該閾値記憶部に該閾値を設定する操作をするための閾値設定操作部と、
検査対象となるダイオードに検査用電流を流して該ダイオードの両端電圧を測定するダイオード電圧測定部と、
該ダイオードの両端電圧と該閾値とを比較して該両端電圧が該閾値により規定される範囲内のときに適合信号を出力する比較部と、
該適合信号の出力を報知する報知部とを備えることを特徴とするダイオード検査装置。
【請求項２】
前記閾値記憶部が、前記閾値となりうる複数の候補値を予め記憶しており、
前記閾値設定操作部の操作により、該複数の候補値の中から該閾値が選択されて該閾値記憶部に設定されることを特徴とする請求項１に記載のダイオード検査装置。
【請求項３】
前記閾値設定操作部によって、前記閾値として、上限値及び／又は下限値を設定可能であることを特徴とする請求項１又は２に記載のダイオード検査装置。
【請求項４】
前記ダイオード電圧測定部の流す前記検査用電流の電流値が変更設定可能であることを特徴とする請求項１から３のいずれかに記載のダイオード検査装置。
【請求項５】
前記閾値設定操作部の操作により、前記閾値として前記閾値記憶部に設定可能な最大値が少なくとも３Ｖであることを特徴とする請求項１から４のいずれかに記載のダイオード検査装置。
【請求項６】
前記両端電圧及び前記閾値を表示する表示部を備えることを特徴とする請求項１から５のいずれかに記載のダイオード検査装置。
【請求項７】
前記各部が携帯型の筐体に収容されていることを特徴とする請求項１から６のいずれかに記載のダイオード検査装置。
【請求項８】
ダイオードの両端電圧を検査するための閾値が変更可能に設定される閾値記憶部と、該閾値記憶部に該閾値を設定する操作をするための閾値設定操作部と、検査対象となるダイオードに検査用電流を流して該ダイオードの両端電圧を測定するダイオード電圧測定部と、該ダイオードの両端電圧と該閾値とを比較して該両端電圧が該閾値により規定される範囲内のときに適合信号を出力する比較部と、該適合信号の出力を報知する報知部とを備えるダイオード検査装置を用いたダイオード検査方法であって、
該閾値設定操作部を操作して該ダイオードの順方向電圧又はツェナー電圧に対応させて該閾値を設定してから、該ダイオードの良否を該報知部の報知の有無で検査することを特徴とするダイオード検査方法。
【発明の詳細な説明】
【技術分野】
【０００１】
本発明は、検査用電流を流して発生するダイオードの両端電圧を測定し、この両端電圧に基づきダイオードを検査するダイオード検査装置及びダイオード検査方法に関するものである。
【背景技術】
【０００２】
携帯型デジタルマルチメータには、抵抗値測定機能、電圧測定機能、電流測定機能の他に、ダイオード検査機能を有するものがある。例えば、特許文献１には、ダイオードの順方向電圧（スレショールド電圧、オン電圧）の測定機能を有するデジタルマルチメータが記載されている。
【０００３】
又、携帯型デジタルマルチメータには、正負一対の検査用プローブに接続したダイオードの極性が順方向のときにブザー音を鳴らし、逆方向のときにブザー音を鳴らさないダイオード極性検査機能を有しているものがある。この機能を使用することで、ダイオードの極性を検査できるばかりでなく、ダイオードを順方向で接続してもブザーが鳴らないときや、逆方向で接続してもブザーが鳴るときには、測定者はダイオードが故障していると判定することができる。
【先行技術文献】
【特許文献】
【０００４】
【特許文献１】特開昭５９−７０９７５号公報
【発明の概要】
【発明が解決しようとする課題】
【０００５】
携帯型デジタルマルチメータのようなダイオード検査装置は、ダイオードの両端に発生した両端電圧を測定して、その測定値と検査用の閾値（オン電圧判定用の閾値）とを比較してブザーを鳴らすか否か判定している。この閾値は、ダイオード検査装置の製造メーカや機種によって異なっていて、統一されていない。
【０００６】
又、ダイオードには、ショットキーバリアダイオード、ＰＮ接合ダイオード、発光ダイオード（ＬＥＤ）、ツェナーダイオード等の種類があり、ダイオードの種類により順方向電圧が異なる。さらにダイオードの種類が同じであっても、小電流用や大電流用などのダイオードの用途等に応じた品種によりダイオードの順方向電圧が多少異なる。
【０００７】
そのため、同一のダイオードを検査したとしても、検査に用いるダイオード検査装置の機種によって、ブザーが鳴ったりブザーが鳴らなかったりする場合がある。又、ダイオードの種類や品種によって、ブザーが鳴ったりブザーが鳴らなかったりする場合がある。例えば、検査用の閾値が０．６Ｖの機種で、順方向電圧が２．０Ｖの白色ＬＥＤの検査をすると、極性が合っていてもブザーが鳴らない。一方、検査用の閾値が３．０Ｖの機種では、ブザーが鳴る。このように、機種により測定者の期待する検出精度でダイオードの検査ができないという課題がある。
【０００８】
本発明は前記の課題を解決するためになされたもので、ブザー音やランプの点灯等で検査結果が報知されるダイオード検査の際に、所望の検出精度で検査することのできるダイオード検査装置及びダイオード検査方法を提供することを目的とする。
【課題を解決するための手段】
【０００９】
前記の目的を達成するためになされた、特許請求の範囲の請求項１に記載されたダイオード検査装置は、ダイオードの両端電圧を検査するための閾値が変更可能に設定される閾値記憶部と、該閾値記憶部に該閾値を設定する操作をするための閾値設定操作部と、検査対象となるダイオードに検査用電流を流して該ダイオードの両端電圧を測定するダイオード電圧測定部と、該ダイオードの両端電圧と該閾値とを比較して該両端電圧が該閾値により規定される範囲内のときに適合信号を出力する比較部と、該適合信号の出力を報知する報知部とを備えることを特徴とする。
【００１０】
請求項２に記載されたダイオード検査装置は、請求項１に記載のものであり、前記閾値記憶部が、前記閾値となりうる複数の候補値を予め記憶しており、前記閾値設定操作部の操作により、該複数の候補値の中から該閾値が選択されて該閾値記憶部に設定されることを特徴とする。
【００１１】
請求項３に記載されたダイオード検査装置は、請求項１又は２に記載のものであり、前記閾値設定操作部によって、前記閾値として、上限値及び／又は下限値を設定可能であることを特徴とする。
【００１２】
請求項４に記載されたダイオード検査装置は、請求項１から３のいずれかに記載のものであり、前記ダイオード電圧測定部の流す前記検査用電流の電流値が変更設定可能であることを特徴とする。
【００１３】
請求項５に記載されたダイオード検査装置は、請求項１から４のいずれかに記載のものであり、前記閾値設定操作部の操作により、前記閾値として前記閾値記憶部に設定可能な最大値が少なくとも３Ｖであることを特徴とする。
【００１４】
請求項６に記載されたダイオード検査装置は、請求項１から５のいずれかに記載のものであり、前記両端電圧及び前記閾値を表示する表示部を備えることを特徴とする。
【００１５】
請求項７に記載されたダイオード検査装置は、請求項１から６のいずれかに記載のものであり、前記各部が携帯型の筐体に収容されていることを特徴とする。
【００１６】
請求項８に記載されたダイオード検査方法は、ダイオードの両端電圧を検査するための閾値が変更可能に設定される閾値記憶部と、該閾値記憶部に該閾値を設定する操作をするための閾値設定操作部と、検査対象となるダイオードに検査用電流を流して該ダイオードの両端電圧を測定するダイオード電圧測定部と、該ダイオードの両端電圧と該閾値とを比較して該両端電圧が該閾値により規定される範囲内のときに適合信号を出力する比較部と、該適合信号の出力を報知する報知部とを備えるダイオード検査装置を用いたダイオード検査方法であって、該閾値設定操作部を操作して該ダイオードの順方向電圧又はツェナー電圧に対応させて該閾値を設定してから、該ダイオードの良否を該報知部の報知の有無で検査することを特徴とする。
【発明の効果】
【００１７】
本発明のダイオード検査装置によれば、ダイオードの両端電圧を検査するための閾値が変更可能であるので、検出精度を所望の精度でダイオードを検査することができる。そのため、検査対象のダイオードの種類や品種に合わせた閾値に設定することで、そのダイオードに適した検出精度で検査することができる。又、例えば本発明を適用しないダイオード検査装置から本発明を適用するダイオード検査装置に機種を換えたとしても、最初に閾値を合わせることで、同様の検出精度で検査することができる。
【００１８】
前記閾値となりうる複数の候補値の中から閾値を選択するようにした場合、閾値の設定を簡単な操作で迅速に行うことができる。
【００１９】
閾値として、例えば上限値及び下限値を設定可能とした場合、ダイオードの順方向電圧を上限値、下限値で一層精度よく検査できる。そのため、例えば短絡故障しているダイオードを良品として判定してしまうことを防止できる。又、上限値及び下限値を設定可能とした場合、ツェナーダイオードが発生するツェナー電圧を検査することができる。
【００２０】
検査用電流の電流値を変更設定可能にした場合、例えばダイオード製造メーカ推奨の電流値や実際に使用する際の電流値等の所望の任意の電流値でダイオードを検査することができる。
【００２１】
閾値として設定可能な最大値が少なくとも３Ｖである場合、ショットキーバリアダイオードやＰＮ接合ダイオードよりも順方向電圧の大きな発光ダイオードを検査対象として、順方向電圧の良否を検査することができる。又、設定可能な最大値が少なくとも３Ｖである場合、少なくとも３Ｖまでのツェナー電圧の良否について検査することができる。
【００２２】
抵抗値及び閾値を表示する表示部を備える場合、測定者は測定値や設定されている閾値を視認することができ、便利である。又、携帯型の筐体を有している場合、種々の測定現場で導通検査を行えるので、非常に便利である。
【図面の簡単な説明】
【００２３】
【図１】本発明を適用する携帯型デジタルマルチメータの正面外観図である。
【図２】図１の携帯型デジタルマルチメータを、本発明を適用するダイオード検査装置として作動させた状態におけるブロック図である。
【図３】図１の携帯型デジタルマルチメータの表示部の別の表示例を示す図である。
【図４】本発明を適用する別の携帯型デジタルマルチメータの要部を示す正面外観図である。
【図５】本発明を適用する更に別の携帯型デジタルマルチメータにおける表示部の表示例である。
【図６】図４の携帯型デジタルマルチメータを使用してツェナーダイオードのツェナー電圧を測定している使用状態を示す要部ブロック図である。
【図７】本発明を適用する更に別の携帯型デジタルマルチメータを、ダイオード検査装置として作動させた状態におけるブロック図である。
【図８】図７の携帯型デジタルマルチメータの表示部の表示例を示す図である。
【図９】本発明を適用する更に別の携帯型デジタルマルチメータの表示部の表示例を示す図である。
【発明を実施するための形態】
【００２４】
以下、本発明を実施するための形態を詳細に説明するが、本発明の範囲はこれらの形態例に限定されるものではない。
【００２５】
図１に、本発明を適用するダイオード検査装置の一例である携帯型デジタルマルチメータの外観を示す。携帯型デジタルマルチメータ１は、携帯型デジタルテスターとも呼ばれるものであり、電圧値、抵抗値、電流値の測定や導通検査、及びダイオード検査を行うことが可能な測定器である。携帯型デジタルマルチメータ１は、一例として、片手で持ちやすい大きさの携帯型の筐体１０を有している。この携帯型デジタルマルチメータ１は、筐体１０のフロントパネルに、測定モード切替用の回転式スイッチ２、液晶パネルや７セグメントＬＥＤパネルなどの表示部３、検査用プローブＰａ，Ｐｂを接続するためのコネクタ５ａ，５ｂ，５ｃ，５ｄ、及び閾値設定用の操作スイッチ６ａ，６ｂなどを備えている。又、携帯型デジタルマルチメータ１は、内部又は背面にブザー１５を備えている。
【００２６】
携帯型デジタルマルチメータ１は、回転式スイッチ２を回転させることで、交流電圧測定モード、直流電圧測定モード、抵抗値測定モード、ダイオード検査モード、導通検査モード、電流測定モード（μＡ測定モード，ｍＡ測定モード、１０Ａ測定モード）を、切り替えることが可能に構成されている。回転式スイッチ２は電源スイッチも兼ねている。回転式スイッチ２を位置５０に合わせることで、携帯型デジタルマルチメータ１がダイオード検査モードで作動する。他の測定モードについては公知の携帯型デジタルマルチメータと同様であるので、詳細な説明は省略する。
【００２７】
コネクタ５ａは、基準端子（ＣＯＭ端子）であり、柄が黒色の検査用プローブＰａが接続される。コネクタ５ｂは、電圧測定モード、抵抗値モード、ダイオード検査モード、導通検査モード時に、柄が赤色の検査用プローブＰｂが接続される。コネクタ５ｃ、５ｄは、電流測定モード時に検査用プローブＰｂが接続される。
【００２８】
閾値設定用の操作スイッチ６ａ，６ｂは、各々押しボタン式のスイッチである。操作スイッチ６ａ，６ｂは、本発明における閾値設定操作部に相当し、ダイオード検査モード時には、ダイオード検査用の閾値を設定する操作に用いられ、他の測定モード時には、測定レンジの変更操作に用いられる。
【００２９】
携帯型デジタルマルチメータ１をダイオード検査モードで作動させた状態のブロック図を図２に示す。
【００３０】
携帯型デジタルマルチメータ１は、筐体１０の内部に、ダイオード電圧測定部２１、閾値制御部２２、閾値記憶部２３、比較部２４、表示制御部２５、及び電池３０を備えている。
【００３１】
ダイオード電圧測定部２１は、公知の携帯型デジタルマルチメータのダイオード電圧測定部と同様の回路であり、検査対象となるダイオード９０に検査用電流Ｉを流して、ダイオード９０の両端電圧Ｖを測定する。具体的には、ダイオード電圧測定部２１は、直流定電流源４１及び電圧測定回路４２を備えている。直流定電流源４１は、コネクタ５ｂから検査用電流Ｉが流れ出てコネクタ５ａに戻る方向で、つまり、コネクタ５ａに対しコネクタ５ｂ側に正の電圧が掛かるように接続されている。これにより、直流定電流源４１の出力する検査用電流Ｉが、コネクタ５ｂ、検査用プローブＰｂ、検査対象であるダイオード９０、検査用プローブＰａ、コネクタ５ａの経路で流れるようになっている。
【００３２】
電圧測定回路４２は、コネクタ５ａを基準電圧として、コネクタ５ａ，５ｂ間の電圧を測定する。この電圧が、ダイオード９０の両端電圧Ｖになる。電圧測定回路４２は、図示しないがアナログ／デジタル変換器により、波形をサンプリングして、電圧をデジタル値で検出する。ダイオード電圧測定部２１は、測定したダイオード９０の両端電圧Ｖを、比較部２４及び表示制御部２５に出力する。なお、図２では、電圧測定回路４２が２端子法で両端電圧Ｖを測定する例を示しているが、４端子法で測定するようにしてもよい。
【００３３】
操作スイッチ６ａ，６ｂは閾値制御部２２に接続されている。閾値制御部２２には、閾値記憶部２３が接続されている。閾値制御部２２は、操作スイッチ６ａ，６ｂの操作により、閾値を変更して閾値記憶部２３に設定（記憶）させるものである。閾値記憶部２３は、閾値を変更可能に設定されるものである。閾値記憶部２３は、書き換え可能な不揮発性のメモリであり、一例として、フラッシュメモリやＥＥＰＲＯＭ、又はハードディスクである。閾値制御部２２は、閾値記憶部２２に設定した閾値を、比較部２４及び表示制御部２５に出力する。表示制御部２５は、表示部３に表示させる内容を制御する。
【００３４】
比較部２４は、ダイオードの両端電圧Ｖと閾値とを比較して、両端電圧Ｖが閾値により規定される範囲内のときに適合信号をブザー１５に出力する。具体的には、この携帯型デジタルマルチメータ１では、閾値がダイオード９０の順方向電圧として許容される上限値で設定され、比較部２４は両端電圧Ｖが閾値（上限値）以下のときに、適合信号を出力する。適合信号は、ブザー１５を駆動可能な信号（駆動信号）である。
【００３５】
閾値制御部２２、表示制御部２５及び比較部２４は、一例としてプログラムで動作するＣＰＵ（中央処理演算装置）によって、その機能が実現されている。プログラムは、ＲＯＭ，フラッシュメモリ、又はハードディスクなどのメモリ（不図示）に記憶されている。
【００３６】
ブザー１５は、本発明における報知部に相当し、一例として圧電ブザーである。又、携帯型デジタルマルチメータ１は、各部の動作用の電力源になる電池３０を交換可能に内蔵している。
【００３７】
次に、本発明を適用する携帯型デジタルマルチメータ１の動作について説明する。
【００３８】
図１、２に示すように、回転式スイッチ２をダイオード検査モードに設定すると、その情報は表示制御部２５（図２参照）に入力されて、表示制御部２５は表示部３にダイオード検査モードを示す測定モード表示１３（図１参照）を表示させる。
【００３９】
ダイオード検査を開始する前に、ダイオード９０に対応させて検査用の閾値を設定する必要がある。検査用の閾値は、前述したように、ダイオード９０の順方向電圧として許容される上限値である。上限値にマージンを含めて、閾値を多少大きめに設定してもよい。
【００４０】
このとき、図２に示す閾値記憶部２３に初期値や前回の検査時に設定した閾値が記憶されている場合には、閾値制御部２２は、閾値記憶部２３に設定（記憶）されている閾値を読み込んで、比較部２４、及び表示制御部２５に出力する。表示制御部２５は、表示部３に、閾値を示す閾値表示１２（図１参照）を表示させる。図１の閾値表示１２は、閾値が０．６００Ｖに設定されている例を示している。表示制御部２５は、閾値表示１２であることが分かるように、一例として「ＲＥＦ」の文字を前に付して閾値を表示させる。この閾値でよい場合には、このまま検査を開始する。
【００４１】
閾値を変更設定する場合、測定者は操作スイッチ６ａ，６ｂを操作する。上向き三角形の操作スイッチ６ａは閾値を大きく変更するためのスイッチであり、下向き三角形の操作スイッチ６ｂは閾値を小さく変更するためのスイッチである。閾値制御部２２は、操作スイッチ６ａが押下（操作）されたときに、閾値を大きく変更して閾値記憶部２３に記憶させると共に、その閾値を比較部２４及び表示制御部２５に出力する。又、閾値制御部２２は、操作スイッチ６ｂが押下されたときに、閾値を小さく変更して閾値記憶部２３に記憶させると共に、その閾値を比較部２４及び表示制御部２５に出力する。比較部２４は、変更された閾値と抵抗値とを比較する。表示制御部２５は変更された閾値を表示部３に表示させる。
【００４２】
閾値制御部２２は、操作スイッチ６ａ，６ｂが１回押下されるたびに、例えば、０．００１Ｖ、０．０１Ｖ、又は０．１Ｖのように予め決められた所定のステップ値ずつ、閾値を大きく／小さく変更して閾値記憶部２３に設定（記憶）するようにしてもよい。さらに、閾値制御部２２は、操作スイッチ６ａ，６ｂが例えば所定期間（例えば１秒）以上長押しされたときには、操作スイッチ６ａ，６ｂが押下されている間、所定のステップ値ずつ連続的に閾値を大きく／小さく変更して、閾値記憶部２３に設定するようにしてもよい。この場合、測定者は希望する閾値になったときに操作スイッチ６ａ，６ｂから指を離す。
【００４３】
図３に、閾値が０．４００Ｖに変更されたときの閾値表示１２の表示例を示す。
【００４４】
又は、閾値記憶部２３に下記の表１に示すような、閾値となりうる複数の候補値を示す閾値テーブルを予め記憶させておき、操作スイッチ６ａ，６ｂの操作により、複数の候補値の中から一つが選択されて、閾値記憶部２３に閾値として設定されるようにしてもよい。
【表１】
2013242250.tif 000003
【００４５】
例えば、閾値として候補値番号４の０．５Ｖが既に閾値記憶部２３に設定されている場合、操作スイッチ６ａが１回操作（押下）されると、閾値制御部２２は、候補値番号５の０．６Ｖを閾値として閾値記憶部２３に設定する。さらに操作スイッチ６ａが１回操作されると、閾値制御部２２は、候補値番号６の１Ｖを閾値として閾値記憶部２３に設定する。このように、操作スイッチ６ａが１回操作されるたびに、閾値制御部２２は、順次、候補値番号の１つ大きな閾値を閾値記憶部２３に設定する。
【００４６】
又、閾値として候補値番号４の０．５Ｖが既に閾値記憶部２３に設定されている場合、操作スイッチ６ｂが１回操作されると、閾値制御部２２は、候補値番号３の０．４Ｖを閾値として閾値記憶部２３に設定する。さらに操作スイッチ６ｂが１回操作されると、閾値制御部２２は、候補値番号２の０．２Ｖを閾値として閾値記憶部２３に設定する。このように、操作スイッチ６ｂが１回操作されるたびに、閾値制御部２２は、順次、候補値番号の１つ小さな閾値を閾値記憶部２３に設定する。
【００４７】
閾値制御部２２は、閾値記憶部２３における閾値テーブルの記憶された領域とは別の領域に、設定された閾値の値、又はその候補値番号を記憶する。閾値テーブルと設定された閾値（候補値番号）とは、物理的に異なる別のメモリに記憶させてもよい。
【００４８】
このように複数の候補値の中から閾値を選択できるようにすると、少ない操作で迅速に閾値を設定することができるため好ましい。
【００４９】
閾値として設定できる範囲は適宜の範囲とすることができる。例えば、種々のダイオードの順方向オン電圧として想定される０．１Ｖ〜４Ｖ程度の範囲を、閾値として設定できる範囲としてもよい。
【００５０】
閾値の設定を行った後に、測定者は、ダイオード９０の両端に検査用プローブＰａ、Ｐｂを接触させる。図２に示すように、検査用プローブＰａ，Ｐｂを順方向でダイオード９０に接触させたときには、検査用電流Ｉが流れてダイオード９０の両端電圧Ｖとして順方向電圧が発生し、電圧測定回路４２がこの両端電圧Ｖを測定して比較部２４及び表示制御部２５に出力する。なお、電圧測定回路４２は、オートレンジ又は閾値を測定可能な測定レンジで測定する。
【００５１】
表示制御部２５は、表示部３に、両端電圧Ｖを示す両端電圧表示１１（図１参照）を表示させる。図１の両端電圧表示１１は、両端電圧Ｖが０．５６０Ｖである例を示している。
【００５２】
比較部２４は、両端電圧Ｖと閾値とを比較して、両端電圧Ｖが閾値以下のときに適合信号をブザー１５に出力する。図１の表示例では、両端電圧「０．５６０Ｖ」が閾値「０．６００Ｖ」以下であるので、適合信号がブザー１５に出力されて、ブザー１５が鳴動する。このブザー音により、測定者は、ダイオード９０が順方向であること、及び、ダイオード９０の順方向電圧が閾値以下であることが分かる。
【００５３】
又、図３の表示例では、両端電圧「０．５６０Ｖ」が閾値「０．４００Ｖ」よりも大きいので、ブザー１５が鳴動しない。ダイオード９０を順方向にするように検査用プローブＰａ，Ｐｂを接触させていた場合、測定者は、順方向電圧が閾値よりも大きいことが分かる。
【００５４】
図２の下側の丸枠内に示すように、検査用プローブＰａ，Ｐｂに逆方向でダイオード９０に接触させたときには、ダイオード９０に検査用電流Ｉが流れず、ダイオード９０の両端電圧Ｖは直流定電流源４１の出力可能な最大出力電圧（例えば５Ｖ）になる。電圧測定回路４２がこの両端電圧Ｖを測定して比較部２４及び表示制御部２５に出力する。表示制御部２５は、表示部３に、両端電圧Ｖを示す両端電圧表示１１（例えば５Ｖ）を表示させる（不図示）。
【００５５】
比較部２４は、両端電圧Ｖが閾値よりも大きいので、適合信号をブザー１５に出力しない。従って、ブザー１５が鳴動せず、測定者はダイオード９０が逆方向であることが分かる。
【００５６】
この携帯型デジタルマルチメータ１のように、閾値として両端電圧Ｖの上限値だけを設定するようにしてもよいが、閾値として、上限値及び下限値を設定するようにしてもよい。
【００５７】
図４に、閾値として上限値及び下限値を設定可能な携帯型デジタルマルチメータ１ａの正面図（要部）を示す。携帯型デジタルマルチメータ１ａは、一例として、フロントパネルに押しボタン式の上限下限設定切替用の操作スイッチ７を備えると共に、表示部３ａに閾値の上限値を示す上限閾値表示１２Ｈ、及び閾値の下限値を示す下限閾値表示１２Ｌを表示可能になっていることが、図１の携帯型デジタルマルチメータ１と異なっている。操作スイッチ７は、操作スイッチ６ａ，６ｂと共に本発明における閾値設定用操作部に相当し、上限値の設定を行うか下限値の設定を行うか切り替えるためのものである。操作スイッチ７は、図示しないが、図２のブロック図における閾値制御部２２に接続されている。
【００５８】
携帯型デジタルマルチメータ１ａでは、ダイオード検査モード時に、操作スイッチ７を１回押下（操作）するたびに、上限値設定と下限値設定とが切り替わる。上限値設定のときには、一例として、表示部３ａに表示させた上限閾値表示１２Ｈの中の「ＲＥＦ：ＨＩ」を点滅させたり、明るく表示させたり、白黒反転表示させたりして、上限値の設定が可能であることを表示する。このときに、操作スイッチ６ａ，６ｂの操作により、上限値が設定される。下限値設定のときには、同様に、下限閾値表示１２Ｌの中の「ＲＥＦ：ＬＯ」を点滅等させる。このときに操作スイッチ６ａ，６ｂの操作により、下限値が設定される。
【００５９】
比較部２４（図２参照）は、測定したダイオードの両端電圧Ｖが、下限値以上、上限値以下の範囲内（閾値により規定される範囲内）のときに適合信号を出力し、ブザー１５を鳴動させる。
【００６０】
このようにすることで、ダイオード９０（図２参照）の順方向電圧が所望の下限値から上限値の範囲内に入っていることを、ブザー音の有無により検査することができる。例えばダイオード９０が短絡故障しているとき、両端電圧Ｖは０Ｖに近い小さな値になる。このため、図１の携帯型デジタルマルチメータ１では、ダイオード９０が短絡故障しているときに順方向でブザー１５が鳴動してしまう。一方、図４の携帯型マルチメータ１ａでは、短絡故障時の両端電圧Ｖが下限値よりも小さくなるのでブザー１５が鳴動しない。従って、携帯型マルチメータ１ａを用いることで、ダイオード９０の故障を見逃すことなく発見でき、検査ミスを防止することができる。
【００６１】
この携帯型マルチメータ１ａでは、下限値を設定せず上限値だけを設定した場合、携帯型マルチメータ１と同様に、閾値が上限値だけになる。又、上限値を設定せず下限値だけを設定した場合、閾値が下限値だけになる。下限値又は上限値を設定しない場合、何れかの操作スイッチの操作で例えば「ＯＦＦ」に設定できるようにしておく。閾値を下限値だけ設定した場合、両端電圧Ｖが下限値以上（閾値により規定される範囲内）のときにブザー１５が鳴動する。例えば、ダイオード９０を、順方向電圧の下限値で選別するようなときに使用できる。
【００６２】
なお、図５の表示部３ｂに示すように、基準値（基準値表示１２Ｒ）を入力設定できるようにすると共に、基準値に対する上限割合及び下限割合（上下限割合表示１２Ｚ）を入力設定できるようにして、閾値として上限値と下限値とを設定するようにしてもよい。上限割合及び下限割合は各々別個の値を設定できるようにすることが好ましい。又、上限割合及び下限割合を変更設定できない固定値（例えば±２０％）としておき、基準値だけを入力設定できるようにしてもよい。
【００６３】
以上の説明のように、ダイオード検査の閾値を変更できるようにすることで、所望の検出精度でダイオードの順方向電圧を検査することができる。そのため、ダイオードの検査を開始する前に閾値を設定しておけば、後はブザー音の有無により、表示部を見ることなく連続的に正確な検査を行うことができる。又、例えば製造検査ラインで本発明を適用しないダイオード検査装置から本発明を適用するダイオード検査装置に換えたときに、最初に閾値を合わせるように設定してから測定することで、同じ検出精度で検査を行うようにすることも可能である。
【００６４】
又、図６の要部ブロック図に示すように、携帯型マルチメータ１ａを使用することで、ツェナーダイオード９１のツェナー電圧を検査することができる。
【００６５】
この場合、同図に示すように、ツェナーダイオード９１に逆方向に（カソード側からアナード側へ）検査用電流Ｉが流れる向きで、検査用プローブＰａ，Ｐｂを接触させて、両端電圧Ｖを測定する。この両端電圧Ｖがツェナー電圧になる。閾値となる下限値及び上限値として、ツェナー電圧の下限許容値及び上限許容値を設定する。例えば、ツェナー電圧の許容範囲が２．８Ｖ〜３．２Ｖの場合、下限値として２．８Ｖ、上限値として３．２Ｖを設定する。ツェナー電圧が許容範囲内のときに、ブザー１５（図２参照）が鳴動して、測定者に正常であることが報知される。
【００６６】
上限値として設定可能な最大値は、種々のツェナー電圧に対応するように、例えば、少なくとも３Ｖ、５Ｖ、８Ｖ、１０Ｖ、１２Ｖ、１５Ｖ、２０Ｖ、３０Ｖ、又は５０Ｖであることが好ましい。上限値は大きいほうがより好ましい。直流定電流源４１は、上限値として設定可能な最大値以上の電圧を出力できるものである必要がある。このため、最大値が電池３０の電圧よりも高い場合、昇圧回路で電池電圧を昇圧する。なお、直流定電流源４１の出力可能な最大値（最大電圧）が、ダイオードの逆耐圧許容電圧を超えてしまうと、逆極性で接続したダイオードを破壊してしまう。特にショットキーバリアダイオードは逆耐圧許容電圧が低いので注意が必要である。このため、例えば、直流定電流源４１が、閾値として設定された上限値＋所定幅（例えば０．５Ｖ〜３Ｖ）で算出される電圧以下の範囲内の電圧を出力するように、保護回路を備えていてもよい。又は、ダイオード検査モードを、順方向電圧測定モードとツェナー電圧測定モードとの２つに分け、順方向電圧測定モードでは、直流定電流源４１の出力可能な最大電圧を、例えば５Ｖのように、ダイオードを破壊しない小さな電圧に制限してもよい。
【００６７】
なお、携帯型デジタルマルチメータ１ａに上限値だけを設定して、又は、携帯型デジタルマルチメータ１を使用して、ツェナー電圧の上限値だけを検査してもよい。又、携帯型デジタルマルチメータ１ａに下限値だけを設定して、ツェナー電圧の下限値だけを検査してもよい。
【００６８】
次に、本発明を適用する携帯型デジタルマルチメータの更に別の例について説明する。
【００６９】
図７に示す携帯型デジタルマルチメータ１ｂは、ダイオード検査用の閾値を設定可能であると共に、検査用電流Ｉの電流値も設定可能なものである。
【００７０】
携帯型デジタルマルチメータ１ｂは、一例として、フロントパネルに押しボタン式の閾値／電流値設定切替用の操作スイッチ８を備えている。操作スイッチ８は、閾値／電流値制御部２２ａに接続されている。閾値／電流値制御部２２ａには、閾値／電流値記憶部２３ａが接続されている。閾値／電流値記憶部２３ａは、閾値、及び検査用電流Ｉの電流値を記憶する。閾値／電流値制御部２２ａは、閾値／電流値記憶部２３ａに記憶した閾値を比較部２４及び表示制御部２５に出力すると共に、閾値／電流値記憶部２３ａに記憶した電流値をダイオード電圧測定部２１及び表示制御部２５に出力する。
【００７１】
操作スイッチ８は、１回操作するたびに、閾値設定と電流値設定とを切り替えるためのものである。操作スイッチ８を操作して、閾値設定にしてから操作スイッチ６ａ，６ｂを操作して閾値を設定し、電流値設定にしてから操作スイッチ６ａ，６ｂを操作して電流値を設定する。
【００７２】
図８に示すように、携帯型デジタルマルチメータ１ｂの表示部３ｃには、設定された閾値（上限値）を示す閾値表示１２、及び、設定された電流値を示す電流値表示１４が表示される。
【００７３】
ダイオード電圧測定部２１の直流定電流源４１は、設定された電流値で検査用電流Ｉを出力して、ダイオード９０の両端電圧Ｖを測定する。比較部２４は、両端電圧Ｖが閾値以下のときに、ブザー１５を鳴動させる。
【００７４】
なお、図９に示すように、既に説明した携帯型デジタルマルチメータ１ａと同様に、
閾値を上限値及び下限値で設定して、表示部３ｄに上限閾値表示１２Ｈ、下限閾値表示１２Ｌ、電流値表示１４を表示させるようにしてもよい。
【００７５】
このように検査用電流Ｉの電流値も設定できるようにすることで、ダイオード検査の幅が広がり、便利である。ダイオード９０の順方向電圧は、ダイオードがオンすると概ね一定になるが電流値によって多少変わる。又、ダイオード９０は、オンする前には流す電流値により順方向電圧が大きく変化する。例えば、ダイオード製造メーカが公表しているダイオードのデータシートには、標準の順方向電圧、及び検査時の電流値が記載されている。この電流値は、ダイオードの種類や品種で変わる。データシートに記載された電流値を検査用電流Ｉの電流値として設定することで、製造メーカ推奨の条件でダイオードの順方向電圧を検査することができる。又、ダイオード９０を基板に実装したときに流す電流値と同じ条件で検査することができる。
【００７６】
又、ツェナーダイオードのツェナー電圧は、流す電流値により比較的大きく変化する。そのため、検査用電流Ｉの電流値も設定できるようにすることで、製造メーカ推奨の条件や所望の条件で、ツェナー電圧を検査することができる。
【００７７】
検査用電流Ｉの電流値として設定可能な範囲は適宜規定することができるが、ダイオードの順方向電流又はツェナー電圧発生用の逆方向電流として想定される、例えば０．１ｍＡ〜５０Ａの範囲で設定可能とすることが好ましい。電池３０や装置の電源部が許容するのであれば、設定可能な最大値は大きいほうが好ましい。
【００７８】
電流値となりうる複数の候補値（例えば１ｍＡ、２ｍＡ、５ｍＡ、１０ｍＡ、２０ｍＡ）を、電流値テーブルとして閾値／電流値記憶部２３ａに予め記憶させておき、この候補値の中から操作スイッチ６ａ，６ｂの操作により電流値を選択できるようにしてもよい。
【００７９】
なお、本発明における閾値設定操作部として、一対の操作スイッチ６ａ，６ｂを備える例について説明したが、閾値を数値で設定可能なテンキーを備えてもよい。閾値設定操作部はタッチパネルであってもよい。又、閾値設定操作部として、一つの操作スイッチを備えて、例えば操作スイッチを１回押下するたびに、順次、表１の候補値番号を大きく（又は小さく）するようにして閾値（上限値）を設定し、候補値番号が最大値になったときの次の操作で候補値番号を１に戻すようにしてもよい。このようにすると、操作スイッチを操作するたびに、候補値番号が１→２→３・・・６→７→１→２・・・というよう変化する。
【００８０】
又、表１のような閾値テーブルの中から上限値及び下限値を選択できるようにしてもよい。一例として表１を用いた場合、上限値として候補値番号５（０．６Ｖ）、下限値として候補値番号３（０．４Ｖ）のように選択する。
【００８１】
又、閾値設定操作部として、操作スイッチ７及び操作スイッチ６ａ，６ｂを備えて、上限値及び下限値を設定する例について説明したが、例えば操作スイッチ６ａ，６ｂで上限値を設定し、操作スイッチ６ａ，６ｂと同様のアップキー・ダウンキーを別に備えて、このアップキー・ダウンキーで下限値を設定するようにしてもよい。閾値設定操作部はどのような構成にしてもよい。他の機能用の操作スイッチと共用するようにしてもよい。又、操作スイッチ８の操作で、操作スイッチ６ａ，６ｂが電流値を設定するための操作スイッチ（電流設定用操作部）となる例について説明したが、操作スイッチ６ａ，６ｂとは別に、電流値設定用のアップキー・ダウンキーを備えてもよい。電流設定用操作部をどのような構成にしてもよい。
【００８２】
報知部として音で報知するブザー１５を設けた例について説明したが、ブザー１５と共に、又はブザー１５に換えて、報知部として、光で報知するランプを設けてもよいし、表示部３に絵柄や記号、文字などの報知用表示を表示させるようにしてもよい。
【００８３】
携帯型のデジタルマルチメータに本発明を適用すると、各種電気的特性を種々の測定現場に持ち運んで行えると共にダイオード検査を所望の精度で行えるので、非常に便利であり特に好ましいが、携帯型でない据置型のデジタルマルチメータに本発明を適用してもよい。又、アナログ式のマルチメータに本発明を適用してもよい。又、ダイオード極性検査だけが行える簡便なダイオード検査装置に本発明を適用してもよい。この場合、閾値設定部として例えばロータリースイッチやディップスイッチなどのような設定状態（設定位置）が目視でわかるスイッチで閾値を設定できるようにすることで、ダイオードの両端電圧Ｖを表示する表示部３のない構成のダイオード検査装置に本発明を適用することができる。この場合、スイッチが閾値記憶部を兼ねると共に、ダイオード電圧測定部は閾値と比較できる程度の精度で両端電圧Ｖを測定できるものであればよい。
【符号の説明】
【００８４】
１・１ａ・１ｂは携帯型デジタルマルチメータ、２は回転式スイッチ、３・３ａ・３ｂ・３ｃ・３ｄは表示部、５ａ・５ｂ・５ｃ・５ｄはコネクタ、６ａ・６ｂは閾値設定用の操作スイッチ、７は上限下限設定切替用の操作スイッチ、８は閾値／電流値設定切替用の操作スイッチ、１０は筐体、１１は両端電圧表示、１２は閾値表示、１２Ｈは上限閾値表示、１２Ｌは下限閾値表示、１２Ｒは基準値表示、１２Ｚは上下限割合表示、１３は測定モード表示、１４は電流値表示、１５はブザー、２１はダイオード電圧測定部、２２は閾値制御部、２２ａは閾値／電流値制御部、２３は閾値記憶部、２３ａは閾値／電流値記憶部、２４は比較部、２５は表示制御部、３０は電池、４１は直流定電流源、４２は電圧測定回路、５０は位置、９０はダイオード、９１はツェナーダイオード、Ｉは検査用電流、Ｐａ・Ｐｂは検査用プローブ、Ｖはダイオードの両端電圧である。
【図１】
2013242250.tif 000004
【図２】
2013242250.tif 000005
【図３】
2013242250.tif 000006
【図４】
2013242250.tif 000007
【図５】
2013242250.tif 000008
【図６】
2013242250.tif 000009
【図７】
2013242250.tif 000010
【図８】
2013242250.tif 000011
【図９】
2013242250.tif 000012